(57)【要約】【課題】  手が動く人なら誰でも気軽に楽しみながら無料ないし低価格で左右の脳あるいはいずれか一方の脳を訓練しその能力を高めることができる模写トレーニング具、模写トレーニング具プログラムのダウンロードシステムおよび模写トレーニング具プログラムを記録した記録媒体を提供する。【解決手段】  模写トレーニング具７（描画体本体）は、Ａ４版の用紙本体１と、この用紙本体１に設けられた右手で描画する右手を表す右手マーク３を表示した右手描画欄４と、この右手描画欄４の左側に設けられた左手で描画する左手を表す左手マーク５を表示した左手描画欄６と、とからなっている。【選択図】図１
2008003534.tif 000002
【特許請求の範囲】
【請求項１】
描画体本体と、
この描画体本体に設けられた右手で描画する右手を表す文字を含むマークを表示した右手描画欄と、
前記描画体本体に設けられた左手で描画する左手を表す文字を含むマークを表示した左手描画欄と、とからなることを特徴とする模写トレーニング具。
【請求項２】
描画体本体と、
この描画体本体の左側に設けられた右手を表す文字を含むマークを表示した右手で描画する右手描画欄と、
前記描画体本体の右側に設けられた左手で描画する左手を表す文字を含むマークを表示した左手描画欄と、とからなることを特徴とする模写トレーニング具。
【請求項３】
描画体本体と、
この描画体本体の右側に設けられた右手で描画する右手を表す文字を含むマークを表示した第１の右手描画欄と、
前記描画体本体の前記第１の右手描画欄の左横に設けられた左手で描画する左手を表す文字を含むマークを表示した第１の左手描画欄と、
この描画体本体の前記第１の左手描画欄の上方あるいは下方に設けられた右手を表す文字を含むマークを表示した右手で描画する第２の右手描画欄と、
前記描画体本体の前記第１の右手描画欄の上方あるいは下方に設けられた左手で描画する左手を表す文字を含むマークを表示した第２の左手描画欄と、とからなることを特徴とする模写トレーニング具。
【請求項４】
描画体本体と、
この描画体本体に設けられた第１の選択描画欄と、
前記描画体本体に設けられた第２の選択描画欄と、
前記第１の選択描画欄に表示された右手と左手のそれぞれを表す文字を含む第１欄の選択マークと、
前記第２の選択描画欄に表示された右手と左手のそれぞれを表す文字を含む第２欄の選択マークと、とからなることを特徴とする模写トレーニング具。
【請求項５】
描画体本体と、
この描画体本体に設けられた第１の選択描画欄と、
前記描画体本体の前記第１の選択描画欄の横に設けられた第２の選択描画欄と、
この描画体本体の前記第１の選択描画欄の下方に設けられた第３の選択描画欄と、
前記描画体本体の前記第３の選択描画欄の横にに設けられた第４の選択描画欄と、
前記第１の選択描画欄に表示された右手と左手のそれぞれを表す文字を含む第１欄の選択マークと、
前記第２の選択描画欄に表示された右手と左手のそれぞれを表す文字を含む第２欄の選択マークと、
前記第３の選択描画欄に表示された右手と左手のそれぞれを表す文字を含む第３欄の選択マークと、
前記第４の選択描画欄に表示された右手と左手のそれぞれを表す文字を含む第４欄の選択マークと、とからなることを特徴とする模写トレーニング具。
【請求項６】
模写するための模写絵や模写文字などの模写体を表示してなることを特徴とする請求項１〜５いずれか記載の模写トレーニング具。
【請求項７】
描画欄に塗り絵用の絵や模様や文字などの塗り絵体が表示されてなることを特徴とする請求項１〜６いずれか記載の模写トレーニング具。
【請求項８】
左右の塗り絵体が対称であることを特徴とする請求項６、７いずれか記載の模写トレーニング具。
【請求項９】
トレーニング絵や文字などの模写体が簡単な○□△などの簡単なものから順次複雑なものになるようにした模写体群を設けてなることを特徴とする請求項１〜８いずれか記載の模写トレーニング具。
【請求項１０】
描画欄が描画したものを消して繰り返し新たな描画ができる形態であることを特徴とする請求項１〜９いずれか記載の模写トレーニング具。
【請求項１１】
請求項１〜１０いずれか記載の模写トレーニング具を印刷できるコンピュータープログラムをインターネットなどの電気通信回線によりダウンロードすることができるようにしてなることを特徴とす模写トレーニング具プログラムのダウンロードシステム。
【請求項１２】
請求項１〜１０いずれか記載の模写トレーニング具を印刷できるコンピュータープログラムを記録してなる模写トレーニング具プログラムを記録した記録媒体。
【発明の詳細な説明】
【技術分野】
【０００１】  本発明は左右両方の手の訓練を通じて頭脳の左右を訓練しその能力を高めるあるいは活性化するための模写トレーニング具、模写トレーニング具プログラムのダウンロードシステムおよび模写トレーニング具プログラムを記録した記録媒体に関する。
【背景技術】
【０００２】  特許文献１に、腕置きテーブル１と、この腕置きテーブル１の前面に設けた電源スイッチ１８、スピードコントロールつまみ１９、カウンター１７、性逆転スイッチ２０を設けてなる前面パネルと、腕置きテーブル１の上部に設けた誘導枠２と、この誘導枠２に設けられた所定の誘導描画平面移動を行うペン先誘導具３と、この指先誘導具３にペン先を取り付けて該３の誘導描画動作に誘導されて描画動作を強制的に行う指先誘導筆４と、この指先誘導筆４を差込固定する取り付け筒１３、この取り付け筒１３を筆を持つように指入れに固定してなる略手袋形態の訓練者の手を差し込み指先誘導筆４を持つようにする指先保持手段１４とからなる書写機能育成トレーニング装置が開示されている。
【特許文献１】  特開２０００−１１２３３５号公報（書写機能訓練トレーニング装置）
【非特許文献１】  特に無し
【発明の開示】
【発明が解決しようとする課題】
【０００３】  上述した特許文献１の技術は、殆ど手の感覚の動かせないない手を繰り返し強制的に描画動作させることにより脳に刺激を与え、手と脳との連絡機能を新に形成したり回復させて行くためのものであり、左右の手が差し障り無く動く健常者が脳の能力を高めるために使用するものではなく、またそれは電動式で何種類もの描画動作を記憶し指定された描画動作を行うものであるので、大変高価であり誰でも気楽にどこでも使用できるというものではないという欠点を表示したものである。【０００４】  本発明は以上のような従来技術の欠点に鑑みてなされたものであって、その目的は、手が動く人なら誰でも気軽に楽しみながら無料ないし低価格で左右の脳あるいはいずれか一方の脳を訓練しその能力を高めることができる模写トレーニング具、模写トレーニング具プログラムのダウンロードシステムおよび模写トレーニング具プログラムを記録した記録媒体を提供することを目的としている。
【課題を解決するための手段】
【０００５】  上記目的を達成するために本発明は、描画体本体と、この描画体本体に設けられた右手で描画する右手を表す文字を含むマークを表示した右手描画欄と、前記描画体本体に設けられた左手で描画する左手を表す文字を含むマークを表示した左手描画欄と、とからなることを特徴としている。【０００６】  描画体本体と、この描画体本体の左側に設けられた右手を表す文字を含むマークを表示した右手で描画する右手描画欄と、前記描画体本体の右側に設けられた左手で描画する左手を表す文字を含むマークを表示した左手描画欄と、とからなることを特徴とするものもよい。【０００７】  描画体本体と、この描画体本体の右側に設けられた右手で描画する右手を表す文字を含むマークを表示した第１の右手描画欄と、前記描画体本体の前記第１の右手描画欄の左横に設けられた左手で描画する左手を表す文字を含むマークを表示した第１の左手描画欄と、この描画体本体の前記第１の左手描画欄の上方あるいは下方に設けられた右手を表す文字を含むマークを表示した右手で描画する第２の右手描画欄と、前記描画体本体の前記第１の右手描画欄の上方あるいは下方に設けられた左手で描画する左手を表す文字を含むマークを表示した第２の左手描画欄と、とからなることを特徴とするものもよい。【０００８】  描画体本体と、この描画体本体に設けられた第１の選択描画欄と、前記描画体本体に設けられた第２の選択描画欄と、前記第１の選択描画欄に表示された右手と左手のそれぞれを表す文字を含む第１欄の選択マークと、前記第２の選択描画欄に表示された右手と左手のそれぞれを表す文字を含む第２欄の選択マークと、とからなることを特徴とするものもよい。【０００９】  描画体本体と、この描画体本体に設けられた第１の選択描画欄と、前記描画体本体の前記第１の選択描画欄の横に設けられた第２の選択描画欄と、この描画体本体の前記第１の選択描画欄の下方に設けられた第３の選択描画欄と、前記描画体本体の前記第３の選択描画欄の横にに設けられた第４の選択描画欄と、前記第１の選択描画欄に表示された右手と左手のそれぞれを表す文字を含む第１欄の選択マークと、前記第２の選択描画欄に表示された右手と左手のそれぞれを表す文字を含む第２欄の選択マークと、前記第３の選択描画欄に表示された右手と左手のそれぞれを表す文字を含む第３欄の選択マークと、前記第４の選択描画欄に表示された右手と左手のそれぞれを表す文字を含む第４欄の選択マークと、とからなることを特徴とするものもよい。【００１０】  また、上記いずれかの発明の構成において、模写するための模写絵や模写文字などの模写体を表示してなることを特徴とするものもよい。【００１１】  また、上記いずれかの発明の構成において、描画欄に塗り絵用の絵や模様や文字などの塗り絵体が表示されてなることを特徴とするものもよい。【００１２】  また、上記塗り絵体を設けた発明の構成において、左右の塗り絵体が対称であることを特徴とするものもよい。【００１３】  上記した模写トレーニング具において、トレーニング絵や文字などの模写体が簡単な○□△などの簡単なものから順次複雑なものになるようにした模写体群を設けてなることを特徴とするものもよい。
このような模写トレーニング具としては、簡単な模写体から難しい模写体を順に並べたり重ね足りした模写体群からなるもの、左右描画欄を設け且つ簡単な模写体を設けた模写トレーニング具から左右描画欄を設け且つ難しい模写体を設けた模写トレーニング具の、複数の模写トレーニング具により形成される模写トレーニング具などがある。【００１４】  上記した模写トレーニング具において、前述した描画欄が描画したものを消して繰り返し新たな描画ができる形態であることを特徴とするものもよい。
「消して繰り返し新たな描画ができる形態」例としては、薄板に消すことができるインクペンで描画するもの、磁石ペンにより描画すると磁性を帯びた磁性粉末により描画した部分が有色となり且つレバーをスライドると磁性が無くなり消せることができるものなど多様な形態がある。【００１５】  上述した模写トレーニング具は、インターネットやコンピュータプログラムを記憶した記録媒体を通じて模写トレーニング具を利用者が印刷して取得する形態とした、インターネットサービスや記録媒体も本発明の技術的範疇に含まれるものである。
【発明の効果】
【００１６】  以上の説明から明らかなように本発明は次のような効果を奏する。【００１７】  描画体本体と、この描画体本体に設けられた右手で描画する右手を表す文字を含むマークを表示した右手描画欄と、前記描画体本体に設けられた左手で描画する左手を表す文字を含むマークを表示した左手描画欄と、とからなることを特徴としているので、
利き手（例えば右手）で右手描画欄に利き手描画し、この利き手描画したものを非利き手（例えば左手）で左描画欄に同じ描画となるように模写描画する。これを繰り返し行うことにより、非利き手の非利き手模写描画が利き手描画と全く同じ描画に模写する描画訓練により、左右脳に訓練を行うものである。すなわち、本発明は利き手と非利き手の両手による描画訓練を行うところを特徴としており、従来の非利き手のみを訓練して対応する脳の側のみの活性かなり機能向上なりを行うものと異なり、左右両脳を同じように訓練して行くことにより、利き手の描画訓練を行い且つその直後に非利き手の描画訓練も行うということにより、同じ模写描画となるようにする左右脳の訓練・刺激による相乗作用効果による、従来の訓練では得られない脳の活性化、情報伝達、能力向上を可能とするものである。非利き手の模写描画の基本は利き手で描画したものを元画とするが、模写する元画（見本画）がある場合はそれを模写描画してもよい。
左右の脳を刺激しその相乗効果により、左右脳の能力を向上させ且つ非利き手の機能およびその支配脳の能力の向上を効果的に実現して行く。
また、用紙に印刷しただけのものであるので、極めて低価格であり多数買い訓練しても経済的負担が軽いものであり、誰でも気楽に楽しく経済的負担をそれほど感じることなく、継続することができるという効果を奏する。
また、ホテルや旅館などの客室に置くことにより、お客が楽しみながら訓練を行うことができる。特に、その地方の名物や観光スポットを簡単な絵にした模写絵とその情報を記載するなどにより、絵の右手、左手による模写描画を通じて、明瞭な認知をしてくれるという効果などを期待することができる。【００１８】  描画体本体と、この描画体本体の左側に設けられた右手を表す文字を含むマークを表示した右手で描画する右手描画欄と、前記描画体本体の右側に設けられた左手で描画する左手を表す文字を含むマークを表示した左手描画欄と、とからなることを特徴とするものは、
上記発明の効果と同様な効果を得ることができるとともに、利き手描画欄が左右あるいは上下反対にあるので、利き手は利き手側あるは利き手は上という通常と違う反対の感覚での利き手描画および非利き手描画（反対描画）となり、通常描画とは違う反対描画による刺激を脳に与えそのさらに能力を高めるという効果を奏する。【００１９】  描画体本体と、この描画体本体の右側に設けられた右手で描画する右手を表す文字を含むマークを表示した第１の右手描画欄と、前記描画体本体の前記第１の右手描画欄の左横に設けられた左手で描画する左手を表す文字を含むマークを表示した第１の左手描画欄と、この描画体本体の前記第１の左手描画欄の上方あるいは下方に設けられた右手を表す文字を含むマークを表示した右手で描画する第２の右手描画欄と、前記描画体本体の前記第１の右手描画欄の上方あるいは下方に設けられた左手で描画する左手を表す文字を含むマークを表示した第２の左手描画欄と、とからなることを特徴とするものは、
上記発明の効果と同様な効果を奏するとともに、通常描画と反対描画の両方を行うものであるので、通常描画とは違う脳での情報伝達、脳刺激、感覚刺激が行われ、通常描画刺激と反対描画刺激の両方を行うことによりより効果的な脳への刺激と脳機能向上、非利き手と利き手の両手の機能向上を得ることができるとう効果を奏する。【００２０】  描画体本体と、この描画体本体に設けられた第１の選択描画欄と、前記描画体本体に設けられた第２の選択描画欄と、前記第１の選択描画欄に表示された右手と左手のそれぞれを表す文字を含む第１欄の選択マークと、前記第２の選択描画欄に表示された右手と左手のそれぞれを表す文字を含む第２欄の選択マークと、とからなることを特徴とするものは、
上記発明の効果と同様な効果を奏するとともに、通常描画か反対描画かのいずれか一方を、選択マークを選んで行うことができ、２種類の描画の仕方を選択して行えるとう効果を奏する。【００２１】  描画体本体と、この描画体本体に設けられた第１の選択描画欄と、前記描画体本体の前記第１の選択描画欄の横に設けられた第２の選択描画欄と、この描画体本体の前記第１の選択描画欄の下方に設けられた第３の選択描画欄と、前記描画体本体の前記第３の選択描画欄の横にに設けられた第４の選択描画欄と、前記第１の選択描画欄に表示された右手と左手のそれぞれを表す文字を含む第１欄の選択マークと、前記第２の選択描画欄に表示された右手と左手のそれぞれを表す文字を含む第２欄の選択マークと、前記第３の選択描画欄に表示された右手と左手のそれぞれを表す文字を含む第３欄の選択マークと、前記第４の選択描画欄に表示された右手と左手のそれぞれを表す文字を含む第４欄の選択マークと、とからなることを特徴とするものは、
上記発明の効果と同様な効果を奏するとともに、通常描画と反対描画を自在に組み合わせることができる、あるいはいずれか一方を選択できるという効果を奏する。【００２２】  また、上記いずれかの発明の構成において、模写するための模写絵や模写文字などの模写体を表示してなることを特徴とするもは、
模写体を利き手で模写描画する利き手描画し、左手で利き手描画ある模写体を模写描画する非利き手描画を行うものであるので、利き手の模写訓練と、非利き手の模写訓練を行うという効果を奏する。
特に、複数人でお互いに見せ合いながら行うことにより、コミュニケーションを楽しく図りながらすることができるものである。
また、認知症の予防や機能回復訓練としても効果的である。【００２３】  また、上記いずれかの発明の構成において、描画欄に塗り絵用の絵や模様や文字などの塗り絵体が表示されてなることを特徴とするものは、
塗り枠の中を利き手塗り絵を行い、非利き手で利き手塗り絵と同じような色や色使いで塗り枠の中を塗りつぶして行くものであり、その描画動作は主に肩、腕、手を全体としてゆったりと動かす線画動作とは違う、色彩を認識しながらの主に手首を小刻みに短時間に多数回動かす振幅動作であり、より脳への刺激情報が早く強く多く且つ単純であることから情報伝達が極めて活発におこなわれ、脳の活性化を促進するという効果を奏する。
これを、利き手と非利き手の両方で行うことにより、利き手だけで行うことでは得られない、多様な刺激と多様な活性化による多様な機能の回復や機能の向上を得ることができるという効果を奏する。【００２４】  また、上記塗り絵体を設けた発明の構成において、左右の塗り絵体が対称であることを特徴とするものは、
左右同一のものと違った感覚で塗り絵を行うことになり、左右同一では得られない訓練および脳の能力を高めることができるという効果を奏する。
【発明を実施するための最良の形態】
【００２５】  図１に示す本発明を実施するための最良の第１の実施の形態において模写トレーニング具７（描画体本体）は、Ａ４版の用紙本体１と、この用紙本体１に設けられた右手で描画する右手を表す右手マーク３を表示した右手描画欄４と、この右手描画欄４の左側に設けられた左手で描画する左手を表す左手マーク５を表示した左手描画欄６と、とからなっている。
（１）右手が利き手の場合は、右手で右手描画欄４に絵や文字など（以下「模写体」という）を描画する。
（２）次ぎに右手描画欄４の模写体を見ながら、左手で左手描画欄６に模写体と同じ絵となるように描画する。
（３）既成のイラストなどを見本絵（模写体）として、それを右手で右手描画欄４に同じとなるように模写描画し、次ぎに右手描画欄４の描画絵を模写体として左手で左手描画欄６に模写体と同じ絵となるように描画するのもよい。あるいは、既成のイラストなどを見本絵（模写体）として、左手で左手描画欄６に模写体と同じ絵となるように描画するのもよい。
以上のようにして、左右の脳を刺激しその相乗効果により、左右脳の能力を向上させ且つ非利き手の機能およびその支配脳の能力の向上を効果的に実現して行く。【００２６】  図２に示す本発明を実施するための最良の第２の実施の形態において模写トレーニング具１０は、用紙本体１と、この用紙本体１の左側に設けられた右手を表す文字を含む右手マーク１１を表示した右手で描画する右手描画欄４と、用紙本体１の右側に設けられた左手で描画する左手を表す文字を含む左手マーク１２を表示した左手描画欄６と、とからなっている。
右手描画欄４、左手描画欄６での描画訓練は第１の実施の形態と同様であるが、模写体を見る方向が左側となり、第１の実施の形態の右側に見ての描画と異なる描画感覚での描画となる。【００２７】  図３に示す本発明を実施するための最良の第３の実施の形態において模写トレーニング具１５は、用紙本体１と、この用紙本体１の右側に設けられた右手で描画する右手を表す文字を含む右手マーク３を表示した第１の右手描画欄１６と、この第１の右手描画欄１６の左横に設けられた左手で描画する左手を表す文字を含む左手マーク５を表示した第１の左手描画欄１７と、この第１の左手描画欄１７の下方（上方でもよい）に設けられた右手を表す文字を含む右手マーク３を表示した右手で描画する第２の右手描画欄１８と、第１の右手描画欄１６の下方（上でもよい）に設けられた左手で描画する左手を表す文字を含む左手マーク５を表示した第２の左手描画欄１９と、とからなる。【００２８】  図４に示す本発明を実施するための最良の第４の実施の形態において模写トレーニング具２２は、用紙本体１と、この用紙本体１に設けられた第１の選択描画欄２３と、この第１の選択描画欄２３の隣に設けられた第２の選択描画欄２４と、第１の選択描画欄２３に表示された右手と左手のそれぞれを表す文字を含む第１欄の選択マーク２５と、第２の選択描画欄２４に表示された右手と左手のそれぞれを表す文字を含む第２欄の選択マーク２６と、とからなっている。
第１欄の選択マーク２５、第２欄の選択マーク２６の右手マーク３、左手マーク５のいずれかを×で消す、○で囲むなどして使用する手マークを選択して、選択した手の利き手の方から描画をおこなう。【００２９】  図５に示す本発明を実施するための最良の第５の実施の形態において模写トレーニング具２９は、用紙本体と１、この用紙本体１に設けられた第１の選択描画欄２３と、この第１の選択描画欄２３の横に設けられた第２の選択描画欄２４と、第１の選択描画欄２３の下方に設けられた第３の選択描画欄３０と、この第３の選択描画欄３０の横にに設けられた第４の選択描画欄３１と、第１の選択描画欄２３に表示された右手と左手のそれぞれを表す文字を含む第１欄の選択マーク２５と、第２の選択描画欄２４に表示された右手と左手のそれぞれを表す文字を含む第２欄の選択マーク２６と、第３の選択描画欄３０に表示された右手と左手のそれぞれを表す文字を含む第３欄の選択マーク３２と、第４の選択描画欄３１に表示された右手と左手のそれぞれを表す文字を含む第４欄の選択マーク３３と、とからなっている。
第１欄の選択マーク２５、第２欄の選択マーク２６、第３の選択描画欄３０、第４の選択描画欄３１の右手マーク３、左手マーク５のいずれかを×で消す、○で囲むなどして使用する手マークを選択して、選択した手の利き手の方から描画をおこなう。【００３０】  図６に示す本発明を実施するための最良の第６の実施の形態において模写トレーニング具３６は、前記第１の実施の形態〜前記第５の実施の形態において、模写するための模写絵や模写文字などの模写体３７、３８を表示してなる構成としたものである。
模写体３７を見ながら先ず利き手で、該３７を利き手模写描画し、この利き手模写描画したものを見ながら非利き手で非利き手模写描画を行う。あるいは、模写体３７を見ながら利き手模写描画および非利き手模写描画をおこなう。
模写体３７、３８の両方が描画できるよう右手描画欄４と左手描画欄６を２段としている。【００３１】  図７に示す本発明を実施するための最良の第７の実施の形態において模写トレーニング具４０は、前記第１の実施の形態〜前記第６の実施の形態において、描画欄（図では右手描画欄４と左手描画欄６）に塗り絵用の絵や模様や文字などの塗り絵体４１を表示した構成としたものである。
塗り絵体は幾何学的な模様、人物画、動物画、乗り物画、風景画などやそれらの組合せなど多様な形態画あることは言うまでもない。【００３２】  図８に示す本発明を実施するための最良の第８の実施の形態において模写トレーニング具４４は、前記第３の実施の形態において、第１の右手描画欄１６と第１の左手描画欄１７に塗り絵体４５を向きを同じにして表示し、第２の右手描画欄１８と第２の左手描画欄１９に同じ塗り絵体４６を向きを対称に表示してなるものである。【００３３】  前述した各実施の形態において、トレーニング絵や文字などの模写体が簡単な○□△などの簡単なものから順次複雑なものになるようにした模写体群を設けてなるものがよい。
このように簡単なものから複雑なものに、それぞれを納得した模写ができら次の段階に進んでゆくということにより、効果的に非利き手の機能向上と脳の能力向上を実現してゆくことができる。【００３４】  前述した各実施の形態において、描画欄が描画したものを消して繰り返し新たな描画ができる形態であるものもよい。
なにより、紙を使用しないので経済的であり、障害を負った人の機能訓練にも適している。【００３５】  前述した各実施の形態において、模写トレーニング具を印刷できるコンピュータープログラムをサーバに登録し、このサーバーをインターネットなどの電気通信回線に接続し、前記電気通信回線より利用者が自己のコンピュータにダウンロードすることができるようにしてなる模写トレーニング具プログラムのダウンロードシステムもよい。【００３６】  前述した各実施の形態において、模写トレーニング具を印刷できるコンピュータープログラムを記録してなる模写トレーニング具プログラムを記録した記録媒体もよい。【００３７】  前述したいずれかの実施の形態において、描画欄は用紙本体の表面と裏面にしたものが経済的であり、表面と裏面では違うものとすることによりより楽しいものとできる。この点では、用紙本体をＡ３版として二つ折りにして、４種類の描画形態を楽しめるようにするのもよい。
【産業上の利用可能性】
【００３８】  本発明は主にホテルや印刷産業で利用される。
【図面の簡単な説明】
【００３９】
【図１】本発明を実施するための最良の第１の実施の形態の表面ず。
【図２】本発明を実施するための最良の第２の実施の形態の表面ず。
【図３】本発明を実施するための最良の第３の実施の形態の表面ず。
【図４】本発明を実施するための最良の第４の実施の形態の表面ず。
【図５】本発明を実施するための最良の第５の実施の形態の表面ず。
【図６】本発明を実施するための最良の第６の実施の形態の表面ず。
【図７】本発明を実施するための最良の第７の実施の形態の表面ず。
【図８】本発明を実施するための最良の第８の実施の形態の表面ず。
【符号の説明】
【００４０】１：用紙本体（描画体本体）、
３：右手マーク、
４：右手描画欄、
５：左手マーク、
６：左手描画欄、
７：模写トレーニング具、
１０：模写トレーニング具、
１１：右手マーク、
１２：左手マーク、
１５：模写トレーニング具、
１６：第１の右手描画欄、
１７：第１の左手描画欄、
１８：第２の右手描画欄、
１９：した第２の左手描画欄、
２２：模写トレーニング具、
２３：第１の選択描画欄、
２４：第２の選択描画欄、
２５：第１欄の選択マーク、
２６：第２欄の選択マーク、
２９：模写トレーニング具、
３０：第３の選択描画欄、
３１：第４の選択描画欄、
３２：第３欄の選択マーク、
３３：第４欄の選択マーク、
３６：模写トレーニング具、
３７：模写体、
３８：模写体、
４０：模写トレーニング具、
４１：塗り絵体、
４４：模写トレーニング具、
４５：塗り絵体、
４６：塗り絵体。
【図１】
2008003534.tif 000003
【図２】
2008003534.tif 000004
【図３】
2008003534.tif 000005
【図４】
2008003534.tif 000006
【図５】
2008003534.tif 000007
【図６】
2008003534.tif 000008
【図７】
2008003534.tif 000009
【図８】
2008003534.tif 000010